(57)【要約】【課題】  例えば落下衝撃を受けた際の収納部におけるリーダーブロックの上下方向の揺動を抑えて、バネ部材によるリーダーブロックの保持力低下およびリーダーブロックの位置ズレを防止する。【解決手段】  収納部３７においてバネ部材３１により保持されているリーダーブロック３２の所定量以上の上方移動を規制する規制リブ４４を上シェル１１の内面に形成する。上記所定量としては、テープ引出し時におけるリーダーブロックの上方移動量に相当する大きさとする。この構成により、リーダーブロック３２の上方移動をバネ部材３１の第１アーム３１Ａと規制リブ４４との当接作用により規制できるので、バネ部材３１の屈曲部３１ｐ１の変形量過多による弾性力低下が防止されると共に、リーダーブロック３２の姿勢安定化を図ることができる。【選択図】        図７
2005259292.tif 000002
【特許請求の範囲】
【請求項１】
上シェルと下シェルとを結合することにより形成されテープ引出し用の開口部を備えたカートリッジケースと、このカートリッジケース内に回転可能に収容され磁気テープを巻装したテープリールと、前記カートリッジケース内方の収納部に前記開口部を閉塞するように配置され、前記テープリールに巻装されたテープの一端と接続されたリーダーブロックと、このリーダーブロックを前記収納部に着脱自在に保持するバネ部材とを備えたテープカートリッジにおいて、
前記上シェルの内面には、前記収納部に保持されている前記リーダーブロックの所定量以上の上方移動を規制するリブが設けられている
ことを特徴とするテープカートリッジ。
【請求項２】
前記所定量は、少なくとも、テープ引出し時における前記リーダーブロックの上方移動量に相当する大きさである
ことを特徴とする請求項１に記載のテープカートリッジ。
【請求項３】
前記リブは、前記リーダーブロックの上面を保持する前記バネ部材に当接することにより、前記リーダーブロックの所定量以上の上方移動を規制する
ことを特徴とする請求項１に記載のテープカートリッジ。
【請求項４】
前記リブは、前記リーダーブロックの上面に直接当接することにより、前記リーダーブロックの所定量以上の上方移動を規制する
ことを特徴とする請求項１に記載のテープカートリッジ。
【請求項５】
前記バネ部材は、前記リブに対向し前記リーダーブロックの上面部に係合する第１アームと、前記リーダーブロックの下面部に係合する第２アームと、前記カートリッジケースに支持され前記第１アームと前記第２アームとを連結するベース部とを有している
ことを特徴とする請求項１に記載のテープカートリッジ。
【請求項６】
前記リブは、少なくとも、前記リーダーブロックがその下面部と前記第２アームとの係合量を越える高さにまで上方移動する間において、前記リーダーブロックと干渉しない位置に形成されている
ことを特徴とする請求項５に記載のテープカートリッジ。
【請求項７】
前記リブは、少なくとも、前記リーダーブロックがその下面部と前記第２アームとの係合量を越える高さにまで上方移動する間において、前記リーダーブロックと干渉しない高さに形成されている
ことを特徴とする請求項５に記載のテープカートリッジ。
【請求項８】
前記バネ部材は、金属製板バネをコの字形状に折曲げ形成してなり、前記連結部に対する前記第１アームの曲げ曲率半径は、前記連結部に対する前記第２アームの曲げ曲率半径よりも大きくされている
ことを特徴とする請求項５に記載のテープカートリッジ。
【請求項９】
前記第１アームには、前記リブと対向する領域に、前記リブの進入を許容する切欠きが形成されている
ことを特徴とする請求項５に記載のテープカートリッジ。
【発明の詳細な説明】
【技術分野】
【０００１】
本発明は、磁気テープを巻装したテープリールをカートリッジケース内部に有するテープカートリッジに関し、更に詳しくは、カートリッジケースの内部において、磁気テープの一端に接続されたリーダーブロックを安定に保持することができる構造のテープカートリッジに関する。
【背景技術】
【０００２】
例えば従来より、テープ状記録媒体としての磁気テープが巻装された単一のテープリールを収容したテープカートリッジから、磁気テープを引き出して情報の記録、再生を行うテープドライブ装置が知られている。この種のテープドライブ装置は、コンピュータサーバー等の大量のデータを扱うシステムのデータのバックアップに多用されている。
【０００３】
上記のテープカートリッジには種々のタイプのものがあるが、例えば、下記特許文献１に開示されているテープカートリッジは、図１０及び図１１に示すような構成を有している。図１０は従来のテープカートリッジ１００の全体斜視図、図１１はテープカートリッジ１００の上シェルを取り外して見たときの平面図である。
【０００４】
従来のテープカートリッジ１００は、上シェル１０１と下シェル１０２とを結合してなるカートリッジケース１０３の内部に、磁気テープ１０４を巻装した単一のテープリール１０５を回転可能に収納して構成されている。カートリッジケース１０３の前面部には、テープ引出し用の開口部１０６が形成され、この開口部１０６のカートリッジケース内方位置には、リーダーブロック１０７が収納されている。このリーダーブロック１０７の一側面部には、磁気テープ１０４の繰り出し端に接合された透明なリーダーテープ１０９の一端がクランパ１１０を介して接続されている。そして、使用時、リーダーブロック１０７はテープドライブ装置側のチャックピン（図示略）に係合してドライブ内へ磁気テープ１０４を導く機能を果たし、カートリッジとドライブとをつなぐ重要なインターフェースとなっている。
【０００５】
テープカートリッジ１００の非使用時、磁気テープ１０４はテープリール１０５に完全に巻き取られた状態にあり、テープリール１０５は、一対のリールロック部材１１１によって回転規制されている。リールロック部材１１１は、テープリール１０５の外周部に形成されたリールロックギヤ１１２に係合してリールロック機能を果たし、下シェル１０２の内面に立設された支持軸１１３に回動自在に組み付けられている。
【０００６】
このカートリッジ非使用時において、リーダーブロック１０７は、カートリッジケース１０３の開口部１０６内方に形成された収納部１０８に配置されている。この収納部１０８には、リーダーブロック１０７を着脱自在に保持するバネ部材１１４が備え付けられている。バネ部材１１４は、図１２に示すように略コの字形状を有しており、リーダーブロック１０７の上面１０７Ａに係合する第１アーム１１４Ａと、リーダーブロック１０７の下面１０７Ｂに係合する第２アーム１１４Ｂと、これら第１アーム１１４Ａと第２アーム１１４Ｂとを連結するベース部１１４Ｃとを備えている。なお、図示するリーダーブロック１０７の形態は、クランパ１１０が取り付けられていない状態を示しており、符号１１６は、クランパ１１０が取り付けられる凹所を示している。
【０００７】
バネ部材１１４の第１アーム１１４Ａの先端には、リーダーブロック１０７の上面１０７Ａに形成された略Ｖ字形状の第１係合溝１０７Ａ１に係合する第１係合凸部１１４Ａ１を有しており、第２アーム１１４Ｂの先端近傍には、リーダーブロック１０７の下面１０７Ｂに形成された略台形状の第２係合溝１０７Ｂ１に係合する第２係合凸部１１４Ｂ１を有している。ベース部１１４Ｃは、下シェル１０２の内面に立設され収納部１０８を画成する取付壁部１１５に対してカシメ溶着されている。これにより、リーダーブロック１０７は、バネ部材１１４により上下方向に弾性的に挟持され、具体的には、第１アーム１１４Ａにより下シェル１０２側へ押し付けられて、その姿勢が保持されている。
【０００８】
このバネ部材１１４によって保持されているリーダーブロック１０７は、図１３Ａ，Ｂに示す過程で収納部１０８から引き出される。図示しないテープドライブ装置側のチャックピンがリーダーブロック１０７に係合した後、リーダーブロック１０７は、バネ部材１１４の第１アーム１１４Ａの付勢力に抗して上方へ所定量（例えば０．５ｍｍ）上昇移動されて、リーダーブロック下面１０７Ｂの第２係合溝１０７Ｂ１とバネ部材１１４の第２係合凸部１１４Ｂ１との係合が解除される（図１３Ａ）。そして、バネ部材１１４の第１係合凸部１１４Ａ１がリーダーブロック上面１０７Ａの第１係合溝１０７Ａ１を乗り越えるのに十分な大きさの引出し力でリーダーブロック１０７を収納部１０８から引き出し、バネ部材１１４によるリーダーブロック１０７の保持作用を解除する（図１３Ｂ）。
【０００９】
上記のように、リーダーブロック１０７を収納部１０８から引き出す際は、リーダーブロック１０７を保持するバネ部材１１４の第１アーム１１４Ａを上方へ弾性変形させる。このため、カートリッジケース１０４の上部内壁面（上シェル１０２の内面）とバネ部材１１４の第１アーム１１４Ａとの間には、第１アーム１１４Ａの一定の弾性変形量を確保するための間隙Ｇが設けられている（図１３Ａ）。
【００１０】
【特許文献１】特開２００４−６２９２３号公報
【発明の開示】
【発明が解決しようとする課題】
【００１１】
以上のように構成される従来のテープカートリッジ１００においては、カートリッジケース１０４に例えば落下衝撃等の強い外力が加わると、収納部１０８の内部においてリーダーブロック１０７がバネ部材１１４に保持されながら、間隙Ｇの大きさの範囲内で上下方向に揺動することになる。
【００１２】
このとき、衝撃の大きさによっては、図１４に示すように、リーダーブロック１０７がバネ部材１１４の第１アーム１１４Ａを介して上シェル１０１の内面に衝突するほどに第１アーム１１４Ａの変形量が大きくなる場合がある。この動作が繰り返されると、バネ部材１１４の第１アーム１１４Ａとベース部１１４Ｃとの間の屈曲部１１４ｐ１に応力が集中し、これが原因で屈曲部１１４ｐ１に永久歪が生じて、第１アーム１１４Ａの弾性力が低下し、リーダーブロック１０７に対する所期の保持力が得られなくなるおそれがある。
【００１３】
また、衝撃の大きさによっては、リーダーブロック１０７がバネ部材１１４の第１アーム１１４Ａを介して上シェル１０１の内面に激しく衝突する場合がある。このとき図１４に示したように、リーダーブロック下面１０７Ｂとバネ部材１１４の第２アーム１１４Ｂとの係合が外れた状態となっているのでリーダーブロック１０７の姿勢は不安定となり、衝撃の方向やカートリッジケース１０３の姿勢によっては、リーダーブロック上面１０７Ａとバネ部材１１４の第１アーム１１４Ａとの係合も外れ、バネ部材１１４に対してリーダーブロック１０７が位置ズレを生じるおそれがある。こうなると、収納部１０８に対してリーダーブロック１０７は適正な位置に保持されなくなるので、テープドライブ装置側のチャックピンとの係合が適正に行えず、テープ引出し動作に支障を来すことになる。
【００１４】
本発明は上述の問題に鑑みてなされ、例えば落下衝撃を受けた際の収納部におけるリーダーブロックの上下方向の揺動を抑えて、バネ部材によるリーダーブロックの保持力低下およびリーダーブロックの位置ズレを防止できるテープカートリッジを提供することを課題とする。
【課題を解決するための手段】
【００１５】
以上の課題を解決するに当たり、本発明のテープカートリッジは、上シェルと下シェルとを結合することにより形成されテープ引出し用の開口部を備えたカートリッジケースと、このカートリッジケース内に回転可能に収容され磁気テープを巻装したテープリールと、カートリッジケース内方の収納部に開口部を閉塞するように配置され、テープリールに巻装されたテープの一端と接続されたリーダーブロックと、このリーダーブロックを収納部に着脱自在に保持するバネ部材とを備えたテープカートリッジにおいて、上シェルの内面には、収納部に保持されているリーダーブロックの所定量以上の上方移動を規制するリブが設けられていることを特徴とする。
【００１６】
この構成により、例えば落下衝撃等が作用してリーダーブロックが収納部内で上下方向に揺動しても、上シェル内面に形成されたリブとの当接作用によって上記所定量以上の上方移動が規制される。これにより、バネ部材の変形量過多によるヘタリに起因する弾性力の低下を防いでリーダーブロックに対する安定した保持力を確保できると共に、リーダーブロックの位置ズレを防止して信頼性の高いテープ引出し動作を行わせることができる。
【００１７】
ここで、上記所定量としては、少なくとも、テープ引出し時におけるリーダーブロックの上方移動量に相当する大きさとするのが好ましく、これによりテープ引出しに要する負荷の増大を防ぐことができる。
【００１８】
また、上記リブによるリーダーブロックの上方移動量の規制作用は、当該リブを、リーダーブロックの上面を保持するバネ部材に当接させて行うようにしてもよいし、当該リブをリーダーブロックの上面に直接当接させて行うようにしてもよい。
【発明の効果】
【００１９】
以上のように、本発明のテープカートリッジによれば、上シェルの内面に、収容部に保持されているリーダーブロックの所定量以上の上方移動を規制するリブが設けられているので、落下衝撃等を受けたとしても、カートリッジケース内の収納部においてバネ部材によるリーダーブロックの安定した弾性保持力を確保できると共に、リーダーブロックの位置ズレを防止してテープ引出し動作の信頼性を高めることができる。
【発明を実施するための最良の形態】
【００２０】
以下、本発明の実施の形態について図面を参照して説明する。以下の実施の形態では、コンピュータのデータバックアップに使用されるデータストレージ用磁気テープカートリッジに対して、本発明を適用した例について説明する。
【００２１】
図１は、本発明の実施の形態によるテープカートリッジＣの分解斜視図である。
【００２２】
本実施の形態のテープカートリッジＣは、例えばポリカーボネート樹脂等の合成樹脂材料からなる上シェル１１と下シェル１２とを結合することにより形成されるカートリッジケース１３内に、磁気テープ２０を巻装した単一のテープリール１４を回転可能に収容して構成されている。
【００２３】
テープリール１４は、一端に透明なリーダーテープ２１が接続された磁気テープ２０が磁性面を内向きにして巻装されるハブ１５と、このハブ１５の上端に接合された上フランジ４１と、ハブ１５の下端に一体形成された下フランジ４２とを有している。
【００２４】
また、テープリール１４は、ハブ１５の内周部に圧入固定されたリング状のベアリング１６を有し、そのベアリング１６を覆うベアリングキャップ１７と上シェル１１の内面中央部との間に設けられたリールスプリング１８によって下シェル１２側に押し付けられている。リールスプリング１８は、円筒状をなすコイルバネで構成されている。
【００２５】
また、テープリール１４の下面中央部には、テープドライブ装置の回転軸に噛合するチャッキングギヤが形成されており、当該チャッキングギヤが下シェル１２の中央部に形成された開口３０を介して外部へ露出されている。
【００２６】
テープカートリッジＣは、その非使用時において、リールロックスプリング２３，２４によって付勢された一対のリールロック部材２５，２６により、テープリール１４が回転不可能とされている。即ち、テープリール１４は、その下フランジの外周縁部に形成されたリールロックギヤ２７に、各リールロック部材２５，２６に形成された噛合部２５ａ，２６ａが噛み合うことによって回転不可能とされている。リールロックスプリング２３，２４及びリールロック部材２５，２６はそれぞれ、下シェル１２の内面に立設された支持軸２８，２９に回転可能に対して取り付けられている。
【００２７】
また、この非使用時においては、磁気テープ２０はテープリール１４に完全に巻き取られた状態にある。リーダーテープ２１の先端部は、カートリッジケース１３の正面に形成されたテープ引出し用の開口部３５をカートリッジケース１３の内方側から閉塞するように配置されるリーダーブロック３２の一側面部にクランパ３６を介して接続されている。リーダーブロック３２は、略コの字形状のバネ部材（リーダーブロックバネ）３１に弾性的に支持された状態で開口部３５内方の収納部３７に位置決めされている。
【００２８】
一方、テープドライブ装置にテープカートリッジＣが装着された使用時においては、テープドライブ装置側の回転軸の上昇によりテープリール１４がカートリッジケース１３の中央位置へ持ち上げられると共に、テープドライブ装置側のリールロック解除プラグがカートリッジケース１３のリールロック解除孔へ挿入されることにより、リールロック部材２５，２６のロックが解除されてテープリール１４が回転可能な状態とされる。そして、テープドライブ装置側のチャッキング機構によってリーダーブロック３２が開口部３５から引き出され、磁気テープ２０がカートリッジピン２２に当接してガイド作用を受けながらカートリッジケース１３の外部へ繰り出される。
【００２９】
なお、このテープカートリッジＣにおいては、磁気テープ２０への誤記録、誤消去を防止するためのセイフティタブ３３が設けられている。このセイフティタブ３３は、開口部３５の形成面とは反対側のカートリッジケース１３の背面にスライド自在に設けられている。また、カートリッジケース１３の背面内側には、非接触型のＩＣメモリを搭載したメモリ基板３４が収容され、テープドライブ装置側との交信によって、例えば磁気テープ２０に記録された内容に関する情報の読み出し／書き込みが行われるようになっている。
【００３０】
また、テープドライブ装置への挿入方向に関して垂直な方向に対向するカートリッジケース１３の側面部には、テープエンド検出用の透明な窓部材３８Ａ，３８Ｂがそれぞれ設けられている。
【００３１】
図２および図３は、リーダーブロック３２およびバネ部材３１の構成をそれぞれ示している。バネ部材３１は、図４および図５に示すように、開口部３５内方の収納部３７において、リーダーブロック３２を着脱自在に弾性保持している。
【００３２】
リーダーブロック３２は、例えば、ポリアセタール（ＰＯＭ）等の合成樹脂材料からなり、その正面部分には、テープドライブ装置側のチャッキングピンが挿入される挿入部３２ａが設けられている。この挿入部３２ａの下端には、上記チャッキングピンの進入をガイドするガイド溝３２ｇが形成されている。リーダーブロック３２の上面３２Ａおよび下面３２Ｂには、後述するバネ部材３１の第１アーム３１Ａおよび第２アーム３１Ｂに係合する第１係合溝３２Ａ１および第２係合溝３２Ｂ１がそれぞれ形成されている。
【００３３】
一方、バネ部材３１は、例えば、ステンレス製板バネを略コの字形状にプレス加工して形成され、リーダーブロック３２の上面３２Ａの第１係合溝３２Ａ１に係合する第１係合凸部３１Ａ１を有する第１アーム３１Ａと、リーダーブロック３２の下面３２Ｂの第２係合溝３２Ｂ１に係合する第２係合凸部３１Ｂ１を有する第２アーム３１Ｂと、これら第１アーム３１Ａおよび第２アーム３１Ｂを連結するベース部３１Ｃとを備えている。
【００３４】
本実施の形態では、第１係合溝３２Ａ１およびこれに係合する第１係合凸部３１Ａ１の断面形状を略Ｖ字形状にすると共に、第２係合溝３２Ｂ１およびこれに係合する第２係合凸部３１Ｂ１の断面形状を略台形状にしているが、勿論これらの形状に限られず、例えば円弧形状であってもよい。
【００３５】
バネ部材３１のベース部３１Ｃは、収納部３７の終端位置において下シェル１２の内面に立設された取付壁部３９に固着されている。この取付壁部３９に対するベース部３１Ｃの固着領域には、取付壁部３９の収納部３７側端面に突設されたカシメピンにベース部３１Ｃの貫通孔３１Ｄを挿通させた後、当該カシメピンの先端をカシメ具等で溶融させてなる溶着部４０を形成している。なお、溶着部４０の形成による第１，第２アーム３１Ａ，３１Ｂの弾性力の変動を抑えるために、貫通孔３１Ｄは、ベース部３１Ｃに設けた凹部３１Ｅに形成されている。
【００３６】
図５に示すように、収納部３７に収納されたリーダーブロック３２は、バネ部材３１により上下方向に弾性的に挟持され、具体的には、第１アーム３１Ａにより下シェル１２側へ押し付けられて、その姿勢が保持されている。この状態において、バネ部材３１の第２アーム３１Ｂの下面は、下シェル１２の内面に当接しているのに対し、第１アーム３１Ａの上面は上シェル１２の内面に所定の間隙Ｇを介して対向している。この間隙Ｇは、図６Ａ，Ｂに示すように、リーダーブロック３２の引出し時に第１アーム３１Ａの上方への弾性変形を可能とするために設けられている。なお、図示するリーダーブロック３２の形態は、クランパ３６が取り付けられていない状態を示しており、符号４３は、クランパ３６が取り付けられる凹所を示している。
【００３７】
バネ部材３１によって保持されているリーダーブロック３２は、図６Ａ，Ｂに示す過程で収納部３７から引き出される。図示しないテープドライブ装置側のチャッキングピンがリーダーブロック３２の挿入部３２ａへ挿入、係合した後、リーダーブロック３２は、バネ部材３１の第１アーム３１Ａの付勢力に抗して上方へ所定量（例えば０．５ｍｍ）上昇移動されて、リーダーブロック下面３２Ｂの第２係合溝３２Ｂ１とバネ部材３１の第２係合凸部３１Ｂ１との係合が解除される（図６Ａ）。そして、バネ部材３１の第１係合凸部３１Ａ１がリーダーブロック上面３２Ａの第１係合溝３２Ａ１を乗り越えるのに十分な引出し力でリーダーブロック３２を収納部３７から引き出し、バネ部材３１によるリーダーブロック３２の保持作用を解除する（図６Ｂ）。
【００３８】
ところで、カートリッジケース１４に例えば落下衝撃等の強い外力が加わると、収納部３７の内部においてリーダーブロック３２がバネ部材３１に保持されながら、上下方向に揺動することになる。このとき、衝撃の大きさによっては、バネ部材３１の第１アーム３１Ａとベース部３１Ｃとの間の屈曲部３１ｐ１に応力が集中し、これが原因で屈曲部３１ｐ１に永久歪が生じて、第１アーム３１Ａの弾性力が低下し、リーダーブロック３２に対する所期の保持力が得られなくなるおそれがある。
【００３９】
また、落下衝撃時等を受けてリーダーブロック３２が所定以上に上方移動すると、リーダーブロック下面３２Ｂとバネ部材３１の第２アーム３１Ｂとの係合が外れた状態となるのでリーダーブロック３２の姿勢は不安定となり、衝撃の方向やカートリッジケース１４の姿勢によっては、リーダーブロック上面３２Ａとバネ部材３１の第１アーム３１Ａとの係合も外れ、バネ部材３１に対してリーダーブロック３２が位置ズレを生じるおそれがある。こうなると、収納部３７に対してリーダーブロック３２は適正な位置に保持されなくなるので、テープドライブ装置側のチャックピンとの係合が適正に行えず、テープ引出し動作に支障を来すことになる。
【００４０】
そこで本実施の形態では、収納部３７における上シェル１２の内面に、間隙Ｇに向けて突出するリブ４４を形成している（図５）。このリブ４４は、バネ部材３１の第１アーム３１Ａの上面に対向し、収納部３７においてバネ部材３１に保持されているリーダーブロック３２の所定量以上の上方移動を規制する。
【００４１】
上記所定量としては、少なくとも、テープ引出し時におけるリーダーブロック３２の上方移動量に相当する大きさとしている。即ち、図６Ａ，Ｂに示したように、リーダーブロック下面３２Ｂの第２係合溝３２Ｂ１とバネ部材３１の第２係合凸部３１Ｂ１との係合量を超える高さにまでリーダーブロック３２が上方移動する間において、リーダーブロック３２と規制リブ４４とが互いに干渉しないようにしている。
【００４２】
具体的に、規制リブ４４の形成位置は、少なくとも、リーダーブロック３２がその下面３２Ｂとバネ部材３１の第２アーム３１Ｂとの係合量を超える高さにまで上方移動する間において、リーダーブロック３２と干渉しない位置に形成されている。また、規制リブ４４の高さは、少なくとも、リーダーブロック３２がその下面３２Ｂとバネ部材３１の第２アーム３１Ｂとの係合量を超える高さにまで上方移動する間において、リーダーブロック３２と干渉しない高さ（上シェル１１の内面からの突出量）とされている。
【００４３】
規制リブ４４の形状は特に限定されず、断面方形状や曲面形状等いずれの形状も適用可能である。また、規制リブ４４の形成態様も特に限定されず、連続的な直線リブでもよいし、単数又は複数のリブあるいは突起で構成されていてもよい。
【００４４】
本実施の形態のテープカートリッジＣによれば、上シェル１１の内面に、バネ部材３１に保持されているリーダーブロック３２の所定量以上の上方移動を規制する規制リブ４４を設けることにより、例えば落下衝撃等が作用してリーダーブロック３２が収納部３７内で上下方向に揺動しても、図７に示すように、リーダーブロック３２の上面に弾接するバネ部材３１の第１アーム３１Ａが規制リブ４４と当接することによってリーダーブロック３２の上記所定量以上の上方移動が規制されると共に、第１アーム３１Ａの変形量が抑制される。
【００４５】
これにより、バネ部材３１の屈曲部３１ｐ１の変形量過多によるヘタリに起因する弾性力の低下を防いでリーダーブロック３２に対する安定した保持力を確保できると共に、リーダーブロック３２揺動時の振幅を抑えて収納部３７におけるリーダーブロック３２の位置ズレを防止し、チャッキングピンとの係合精度を維持して信頼性の高いテープ引出し動作を行わせることができる。
【００４６】
また、リーダーブロック３２がその下面３２Ｂとバネ部材３１の第２アーム３１Ｂとの係合量を超える高さにまで上方移動する間において、リーダーブロック３２と干渉しないように規制リブ４４が設けられているので、テープ引出し時において必要とされるリーダーブロック３２の上方移動操作量に影響が及ぶことはなく、従って、テープ引出しに要する負荷の増大を防ぐことができる。
【００４７】
なお、規制リブ４４によって規制されるリーダーブロック３２の上方移動量は、上述のように、テープ引出し時におけるリーダーブロック３２の上方移動量に相当する大きさに限らず、更に大きな上方移動位置でリーダーブロック３２を当接する位置に規制リブ４４を形成することも可能である。本実施の形態では、図６Ｂに示したように、バネ部材３１の第１アーム３１Ａがリーダーブロック上面３２Ａの第１係合溝３２Ａ１を乗り越えた最大変形位置で、当該第１アーム３１Ａの上面と規制リブ４４とが当接するように構成されされている。
【００４８】
特に、本実施の形態のテープカートリッジＣにおいては、屈曲部３１ｐ１の曲げ曲率半径（連結部３１Ｃに対する第１アーム３１Ａの曲げ曲率半径）は、屈曲部３１ｐ２の曲げ曲率半径（連結部３１Ｃに対する第２アーム３１Ｂの曲げ曲率半径）よりも大きく設定されている。ここで、屈曲部３１ｐ２の曲率半径は、例えば図１４を参照して説明した従来のテープカートリッジにおけるバネ部材１１４の第１アーム１１４Ａの屈曲部１１４ｐ１の曲率半径に相当する。従って、本実施の形態では、バネ部材３１の屈曲部３１ｐ１の曲率半径を従来のバネ部材１１４の屈曲部１１４ｐ１の曲率半径よりも大きくすることで、第１アーム３１Ａの弾性変形時における屈曲部３１ｐ１への応力集中を緩和している。
このように、弾性変形しない第２アーム３１Ｂの屈曲部３１ｐ２に比べて、弾性変形する第１アーム３１Ａの屈曲部３１ｐ１の曲率半径を大きく設定することによって、第１，第２アーム３１Ａ，３１Ｂ間の寸法バラツキを抑えながら、バネ部材３１の耐久性を高めて、リーダーブロック３２に対する所期の弾性保持力を長期にわたって維持することができる。
【００４９】
［第２の実施の形態］
続いて、図８は本発明の第２の実施の形態を示しており、リーダーブロック３２を収納する収納部３７における側断面図である。なお、図において上述の第１の実施の形態と対応する部分については同一の符号を付し、その詳細な説明は省略するものとする。
【００５０】
本実施の形態において、リーダーブロック３２を弾性的に保持するバネ部材３１の第１アーム３１Ａには、上シェル１１の内面に形成された規制リブ４４と対向する領域に、この規制リブ４４の進入を許容する切欠き３１Ｆが形成されている。
【００５１】
この構成によれば、例えば落下衝撃等が作用してリーダーブロック３２が収納部３７内で上下方向に揺動した際、図８に示したように、規制リブ４４がバネ部材３１の切欠き３１Ｆに進入して、リーダーブロック３２の上面３２Ａの後端位置に直接当接し、当該リーダーブロック３２の所定以上の上方移動を規制する。これにより、上述の第１の実施の形態と同様な効果を得ることができる。
【００５２】
また、切欠き３１Ｆの形成により、テープ引出し時においてバネ部材３１の第１係合凸部３１Ａ１がリーダーブロック３２の第１係合溝３２Ａ１を乗り越える際に、バネ部材３１の第１アーム３１Ａと規制リブ４４との当接を回避できるので、第１アーム３１Ａの変形量を考慮することなく規制リブ４４の高さを調整することができるようになる。
【００５３】
以上、本発明の各実施の形態について説明したが、勿論、本発明はこれらに限定されることなく、本発明の技術的思想に基づいて種々の変形が可能である。
【００５４】
例えば以上の実施の形態では、バネ部材３１として、板バネを略コの字形状に折曲げ形成した単一部品で構成したが、これに限らず、例えば、リーダーブロック３２の上面部を弾性保持する第１バネと、リーダーブロック３２の一側面部を弾性保持する第２バネとにより、上記バネ部材を構成することも可能である。
【００５５】
この場合、図９Ａ，Ｂに示すように、上記第１バネ５１は、上シェル１１の内面に溶着部５０を介してカシメ固定され、その先端の係合凸部５１Ａ１が、リーダーブロック３２の上面の係合溝３２Ａ１’に係合し、当該リーダーブロック３２を位置決めして下シェル側へ付勢する。なお、第２バネの図示は省略する。
【００５６】
上記構成において、本発明に係る規制リブ４４としては、例えば図９Ｂに示すように、第１バネ５１を挟んで一対設けることができ、当該規制リブ４４とリーダーブロック３２との直接的な当接作用によって、リーダーブロック３２の所定量以上の上方移動を規制することができる。
【図面の簡単な説明】
【００５７】
【図１】本発明の第１の実施の形態によるテープカートリッジＣの構成を示す分解斜視図である。
【図２】リーダーブロック３２の全体斜視図である。
【図３】バネ部材３１の全体斜視図である。
【図４】収納部３７においてバネ部材３１により弾性保持されているリーダーブロック３２の態様を、上シェルを取り外して見たときの斜視図である。
【図５】収納部３７の側断面図である。
【図６】テープ引出し動作を説明する収納部の側断面図である。
【図７】落下衝撃等を受けてリーダーブロック３２が上方移動したときの状態を示す収納部３７の側断面図である。
【図８】本発明の第２の実施の形態を示す収納部３７の側断面図である。
【図９】本発明の変形例を説明する要部側断面図及び平面図である。
【図１０】従来のテープカートリッジを示す斜視図である。
【図１１】従来のテープカートリッジを上シェルを取り外して見たときの平面図である。
【図１２】従来のテープカートリッジにおける収納部の側断面図である。
【図１３】従来のテープカートリッジにおけるテープ引出し動作を説明する収納部の側断面図である。
【図１４】従来のテープカートリッジにおいて、リーダーブロックが上方移動したときの状態を示す収納部の側断面図である。
【符号の説明】
【００５８】
１１…上シェル、１２…下シェル、１３…カートリッジケース、１４…テープリール、２０…磁気テープ、３１…バネ部材、３１Ａ…第１アーム、３１Ａ１…第１係合凸部、３１Ｂ…第２アーム、３１Ｂ１…第２係合凸部、３１Ｃ…連結部、３１Ｆ…切欠き、３２…リーダーブロック、３２Ａ１…第１係合溝、３２Ｂ１…第２係合溝、３５…開口部、３７…収納部、Ｃ…テープカートリッジ。
【図１】
2005259292.tif 000003
【図２】
2005259292.tif 000004
【図３】
2005259292.tif 000005
【図４】
2005259292.tif 000006
【図５】
2005259292.tif 000007
【図６】
2005259292.tif 000008
【図７】
2005259292.tif 000009
【図８】
2005259292.tif 000010
【図９】
2005259292.tif 000011
【図１０】
2005259292.tif 000012
【図１１】
2005259292.tif 000013
【図１２】
2005259292.tif 000014
【図１３】
2005259292.tif 000015
【図１４】
2005259292.tif 000016